(57)【要約】【課題】遊間用止水材の上下方向の剛性を高める。【解決手段】遊間用止水材１０は、止水シート２３及び保護層２４を支持するための支持部材２２と、遊間を止水するための止水シート２３と、止水シート２３の上に載せられる保護層２４とを備える。支持部材２３はハニカム構造体３３を有する。ハニカム構造体３３は、鉛直平行に延びる隔壁３１によって仕切られる複数のセル３２から成る。各セル３２は、非伸縮状態では断面正六角形を呈し、左右方向Ｌに伸縮可能である。【選択図】図１
2009068267.tif 000002
【特許請求の範囲】
【請求項１】
対向して設けられる２つの端面の間の遊間に設けられ、前記２つの端面のうち少なくとも一方が、遊間距離が変化する所定方向に変位すると、その変位に応じて伸縮される支持部材と、
前記２つの端面の間において前記支持部材の上に設けられる止水層とを備え、
前記支持部材が、隔壁によって仕切られ、少なくとも前記所定方向に並べられた複数のセルを有し、前記各セルは前記所定方向に伸縮可能であることを特徴とする遊間用止水材。
【請求項２】
前記隔壁は、前記所定方向に前記セルが伸縮できるように、前記端面に直交する直交面において湾曲又は屈曲されていることを特徴とする請求項１に記載の遊間用止水材。
【請求項３】
前記隔壁によって仕切られた複数のセルは、前記所定方向に直交する方向にも並べられることを特徴とする請求項１乃至２のいずれか１項に記載の遊間用止水材。
【請求項４】
前記止水層は、その下面から下方に向けて突出する複数の凸部を備え、前記複数の凸部それぞれは異なるセルに挿入されていることを特徴とする請求項１乃至３のいずれか１項に記載の遊間用止水材。
【請求項５】
前記凸部が前記所定方向に複数並べられており、前記止水層は、前記遊間距離が短くなると、前記所定方向において隣接する凸部の間が上方に膨れて波形に形成されることを特徴とする請求項４に記載の遊間用止水材。
【請求項６】
前記セルが前記所定方向に直交する直交方向にも複数並べられると共に、前記凸部も、前記直交方向に複数並べられていることを特徴とする請求項４乃至５のいずれか１項に記載の遊間用止水材。
【請求項７】
前記複数のセルのうち一部のセルに前記凸部が挿入されていることを特徴とする請求項４乃至６のいずれか１項に記載の遊間用止水材。
【請求項８】
前記凸部の径は、その凸部が挿入されるセルを構成する隔壁の対向する対向面の離間距離それぞれ、または前記セルの径よりも小さいことを特徴とする請求項４乃至７のいずれか１項に記載の遊間用止水材。
【請求項９】
前記凸部は、その凸部が挿入されるセルの形状に一致した形状を呈し、各凸部は各セルに嵌合していることを特徴とする請求項４乃至８のいずれか１項に記載の遊間用止水材。
【請求項１０】
前記凸部は、前記止水層の上面から下方に凹まされて形成されることを特徴とする請求項４乃至９のいずれか１項に記載の遊間用止水材。
【請求項１１】
前記凸部は前記セルの下端まで延ばされており、前記凸部の下端には各セルの隔壁の下端面に当接する平板部が設けられることを特徴とする請求項４乃至１０のいずれか１項に記載の遊間用止水材。
【請求項１２】
前記止水層は、前記所定方向に沿って並べられる複数の固着部分において前記支持部材に固着されており、
前記止水層は、前記遊間距離が短くなると、前記所定方向において隣接する固着部分の間が上方又は下方に膨れて波形に形成されることを特徴とする請求項１乃至３のいずれか１項に記載の遊間用止水材。
【請求項１３】
前記支持部材の上面は、前記所定方向に沿って波形に形成されていることを特徴とする請求項１乃至１２のいずれか１項に記載の遊間用止水材。
【請求項１４】
前記隔壁によって仕切られた前記複数のセルが少なくとも前記所定方向に沿って並べられて形成されたセル群が、前記所定方向に直交する方向に所定の隙間を介して少なくとも２つ並べられることを特徴とする請求項１乃至１３のいずれか１項に記載の遊間用止水材。
【請求項１５】
前記複数のセルは、ハニカム構造を呈することを特徴とする請求項１乃至１４のいずれか１項に記載の遊間用止水材。
【請求項１６】
前記止水層の上には、さらに保護層が設けられていることを特徴とする請求項１乃至１５のいずれか１項に記載の遊間用止水材。
【請求項１７】
前記止水層の前記所定方向における両端それぞれの下方に設けられ、前記支持部材を前記所定方向において挟み込むように配置される第１及び第２の押え部材と、
前記止水層の前記両端それぞれの上方に設けられ、前記遊間を形成する両端面それぞれに固定される第１及び第２の固定部材とを備え、
前記第１の押え部材と前記第１の固定部材、及び前記第２の押え部材と前記第２の固定部材それぞれは、所定の締結手段によって、前記止水層の両端それぞれを挟み込んで締結されており、
前記遊間を形成する両端面の少なくとも一方の変位に追随して前記第１及び第２の押え部材が前記所定方向に移動し、前記支持部材を押圧して収縮させることを特徴とする請求項１乃至１６のいずれか１項に記載の遊間用止水材。
【請求項１８】
前記第１及び第２の押え部材それぞれは、前記止水層を挟み込むための挟み板部と、前記挟み板部から下向きに突出する突出板部とを備え、
前記支持部材は、前記突出板部によって押圧されることを特徴とする請求項１７に記載の遊間用止水材。
【請求項１９】
前記止水層は止水シートから形成されると共に、部分的に折り畳まれて上下に重ねられており、前記遊間距離が変化すると、その重ねられ部分の前記所定方向における長さが変化させられることを特徴とする請求項１に記載の遊間用止水材。
【請求項２０】
前記支持部材は、前記２つの端面の間に配置される中柱材を備え、
前記中柱材と前記各端面との間それぞれに、前記複数のセルが配置され、
前記止水層は前記２つの端面のうち一方と、前記中柱材との間に配置される前記複数のセルの上に配置される第１の止水シートと、前記２つの端面のうち他方と前記中柱材との間に配置される複数のセルの上に配置される第２の止水シートとを備え、
前記第１及び第２の止水シートの端部それぞれは前記中柱材に固定されていることを特徴とする請求項１乃至１９のいずれか１項に記載の遊間用止水材。
【請求項２１】
前記支持部材は、第１及び第２の支柱層を備え、前記複数のセルは、前記所定方向においてこれら支柱層の間に挟まれて配置されることを特徴とする請求項１乃至２０のいずれか１項に記載の遊間用止水材。
【請求項２２】
前記各セルの内部には弾性材料が充填されていることを特徴とする請求項１乃至２１のいずれか１項に記載の遊間用止水材。
【発明の詳細な説明】
【技術分野】
【０００１】
本発明は、橋梁等の継目に形成される遊間から雨水等の落下を防止するための遊間用止水材に関し、特に伸縮可能な支持部材の上に止水層が設けられて構成される遊間用止水材に関する。
【背景技術】
【０００２】
橋梁や高架道路は、温度変化に起因して膨張や収縮が生じるので、これらの膨張・収縮を吸収するために、一定間隔ごとに遊間が設けられている。遊間の表面には、遊間距離の変化に対応できるように、噛み合うように配置された１対の櫛形鋼板ジョイントが配置されている。橋梁に降水した雨水が櫛形鋼板ジョイントの間から遊間を介して下方に漏水すると、橋梁の橋桁及び支承部分が腐食されるので、遊間には漏水を防止するための遊間用止水材が設けられることが一般的である。
【０００３】
特許文献１には、図２３（ａ）に示すように、止水シート９０と、保護層９１と、止水シート９０及び保護層９１を支持するための支持部材９２とを備える遊間用止水材９５が開示されている。止水シート９０は、支持部材９２の上に遊間全体を塞ぐように設けられ、下方に水が漏洩するのを防止する。保護層９１は、止水シート９０の上に固着一体化され、止水シート９０とジョイント９３の間の隙間を埋めるために設けられている。
【０００４】
この遊間用止水材９５において、止水シート９０は、遊間距離が短くなると、波形変形して遊間全体を塞ぐ状態を維持し、止水性を確保している。また支持部材９２の一部及び保護層９１は、遊間距離が変化したとき、その距離変化に追従して容易に伸縮できるように、伸縮性の高い連続気泡フォーム層から形成されている。
【特許文献１】特開平７−３３１７５８号公報
【発明の開示】
【発明が解決しようとする課題】
【０００５】
ところで、遊間にはジョイント９３の間の隙間９６から土砂９８が侵入することがあり、その土砂９８は図２３（ｂ）に示すように遊間用止水材９５の保護層９１の上に堆積させられることになる。長年の使用によって保護層９１の上に大量の土砂９８が堆積すると、土砂９８の重みや車両から土砂９８を介した作用される負荷によって、支持部材９２に鉛直下向きの大きな荷重が作用されることがある。
【０００６】
しかし、支持部材９２を形成する連続気泡フォームはいずれの方向にも伸縮性が高く、支持部材９２は鉛直方向の荷重によって変形しやすい。したがって、土砂９８からの鉛直下向きの荷重によって、止水シート９０が支持部材９２と共に下方に沈下し、それにより止水シート９０が遊間を塞げなくなり、止水性が十分に確保できない等の不具合が生じるおそれがある。また、支持部材９２の沈下を防止するために支持部材９２の鉛直方向の剛性を上げると、支持部材９２の水平方向の剛性も上がるため、遊間距離の変化に追従して支持部材９２が伸縮できなくなるという問題が生じる。
【０００７】
そこで、本発明は上記問題点に鑑みて成されたものであり、遊間距離が変化する方向における伸縮性を確保したまま、厚さ方向における支持部材の剛性を高めた遊間用止水材を提供することを目的とする。
【課題を解決するための手段】
【０００８】
本発明に係る遊間用止水材は、対向して設けられる２つの端面の間の遊間に設けられ、２つの端面のうち少なくとも一方が、遊間距離が変化する所定方向に変位すると、その変位に応じて伸縮される支持部材と、２つの端面の間において支持部材の上に設けられる止水層とを備え、支持部材が、隔壁によって仕切られた少なくとも所定方向に並べられた複数のセルを有し、各セルは所定方向に伸縮可能であることを特徴とする。なお、隔壁は、所定方向にセルが伸縮できるように、端面に直交する直交面において湾曲又は屈曲されているほうが良い。さらには、隔壁によって仕切られた複数のセルは、所定方向に直交する方向にも並べられていることが好ましい。
【０００９】
止水層は、その下面から下方に向けて突出する複数の凸部を備えることが好ましい。この場合、複数の凸部それぞれは異なるセルに挿入されていたほうが良い。凸部は所定方向に複数並べられていたほうが良い。この場合、止水層は、遊間距離が短くなると、所定方向において隣接する凸部の間が上方に膨れて波形に形成される。凸部は、所定方向に直交する方向にも複数並べられていたほうが良い。
【００１０】
複数のセルのうち一部のセルに凸部が挿入されていたほうが良い。また、凸部の径は、その凸部が挿入されるセルの隔壁が対向する対向面を有する場合、対向面の離間距離それぞれよりも小さいほうが良い。また、例えばセル断面が円形や円形に近似した形状を呈する場合、凸部の径はセルの径よりも小さいほうが良い。
【００１１】
但し、凸部は、各セルの形状に一致した形状を呈し、各凸部は各セルに嵌合していても良い。また、凸部は、止水層の上面から下方に凹まされて形成されていても良い。また、凸部はセルの下端まで延ばされており、凸部の下端には各セルの隔壁の下端面に当接する平板部が設けられていても良い。
【００１２】
止水層は、所定方向に沿って並べられる複数の固着部分において支持部材に固定されていても良い。この場合、止水層は、遊間距離が短くなると、所定方向において隣接する固着部分の間が上方又は下方に膨れて波形に形成されることが好ましい。また、支持部材の上面は、所定方向に沿って波形に形成されていても良い。
【００１３】
隔壁によって仕切られた複数のセルが少なくとも所定方向に並べられて形成されたセル群が、所定方向に直交する方向に所定の隙間を介して少なくとも２つ並べられていても良い。複数のセルは、ハニカム構造を呈することが好ましい。止水層の上には、さらに保護層が設けられていることが好ましい。
【００１４】
止水層の所定方向における両端それぞれの下方に設けられ、支持部材を所定方向において挟み込むように配置される第１及び第２の押え部材と、止水層の両端それぞれの上方に設けられ、遊間を形成する両端面それぞれに固定される第１及び第２の固定部材とを備えていても良い。この場合、第１の押え部材と第１の固定部材、及び第２の押え部材と第２の固定部材それぞれは、所定の締結手段によって、止水層の両端それぞれを挟み込んで締結されている。そして、遊間を形成する両端面の少なくとも一方の変位に追随して第１及び第２の押え部材が所定方向に移動し、支持部材を押圧して収縮させることが好ましい。
【００１５】
第１及び第２の押え部材それぞれは、止水層を挟み込むための挟み板部と、挟み板部から下向けに突出する突出板部とを備えていることが好ましく、この場合、支持部材は、突出板部によって押圧される。
【００１６】
止水層は止水シートから形成されると共に、部分的に折り畳まれて上下に重ねられており、遊間距離が変化すると、その重ねられ部分の所定方向における長さが変化させられても良い。支持部材は、第１及び第２の支柱層と備え、複数のセルは、所定方向においてこれら支柱層の間に挟まれて配置されていても良い。
【００１７】
支持部材は、２つの端面の間に配置される中柱材を備えても良い。この場合、中柱材と各端面との間それぞれに、上記隔壁で仕切られた複数のセルが配置される。また、止水層は２つの端面のうち一方と、中柱材との間に配置される複数のセルの上に配置される第１の止水シートと、２つの端面のうち他方と中柱材との間に配置される複数のセルの上に配置される第２の止水シートとを備える。そして、第１及び第２の止水シートの端部それぞれは中柱材に固定されている。また、各セルの内部には弾性材料が充填されていても良い。
【発明の効果】
【００１８】
本発明においては、遊間距離が変化する方向における伸縮性を維持しつつ、下向きの荷重に対して十分に耐久できる遊間用止水材を提供することができる。
【発明を実施するための最良の形態】
【００１９】
以下、図面を参照しつつ、本発明を具体的に説明する。
図１は、本発明の第１の実施形態に係る遊間用止水材を一部を透視して示した斜視図である。図２は、第１の実施形態に係る遊間用止水材の部分断面図である。なお、図１、２においては、支持部材が収縮されておらず、遊間距離が最も長いときの様子が示される。また、以下の説明においては、図２における上下、左右方向をそれぞれ上下方向Ｈ、左右方向Ｌとして説明すると共に、図２において紙面に直交する方向、すなわち、上下方向Ｈ及び左右方向Ｌに直交する方向を前後方向Ｄとして説明する。なお、左右方向Ｌ、前後方向Ｄは通常水平であるが、水平から傾いている場合もある。上下方向Ｈも同様に通常鉛直であるが、鉛直から傾いている場合もある。
【００２０】
図１、２に示すように、２つの橋梁部１１の間には、遊間１２が形成され、遊間１２は互いに噛み合うように配置された一対の櫛形鋼板ジョイント１３によって覆われている。櫛形鋼板ジョイント１３は、橋梁部１１の上面と同一平面上に配置されるように、各橋梁部１１に固定さている。橋梁部１１が収縮・膨張すると、遊間距離が変化し、それに伴い一対の櫛形鋼板ジョイント１３の噛み合う長さも変化する。
【００２１】
各櫛形鋼板ジョイント１３それぞれの下方には、橋梁部１１に固定され、前後方向Ｄ及び上下方向Ｈに平行な遊間１２の両端面を形成する、左腹板１４Ａ、右腹板１４Ｂが設けられる。左腹板１４Ａ、右腹板１４Ｂは左右方向Ｌにおいて対向しており、これら腹板１４Ａ、１４Ｂの間に遊間用止水材１０が設けられる。遊間用止水材１０は、受け部材２１と、受け部材２１の上に載せられる支持部材２２と、支持部材２２の上に設けられる止水シート（止水層）２３と、止水シート２３の上に設けられる保護層２４とを備える。
【００２２】
受け部材２１は、複数の左側鋼板２５と、複数の右側鋼板２６から構成される。左側鋼板２５は、左右方向に長く延びる受け板２７と、その左端部から下方に延出する固定部２８とによってＬ字状に形成され、固定部２８が不図示の固定ボルトによって左腹板１４Ａに固定される。右側鋼板２６は、左側鋼板２５と同様の形状を有し、左右方向に延び、左側鋼板２５の受け板２７と同一平面上に配置される受け板２９と、その右端部から下方に延出する固定部３０とを備え、固定部３０が不図示の固定ボルトによって右腹板１４Ｂに固定される。受け板２７、２９は、支持部材２２が最も収縮したときの遊間距離よりも、左右方向Ｌにおける長さが短い。左側鋼板２５は、所定の間隔をおいて前後方向Ｄにおいて複数並べられており、その各間隔には右側鋼板２６の受け板２９が挿入されており、遊間距離の変化に伴って、各右側鋼板２６の受け板２９の挿入される長さが変化する。
【００２３】
支持部材２２は、同一平面上に配置された複数の受け板２７、２９の上に載せられており、止水シート２３及び保護層２４を支持する。支持部材２２は、複数のセル３２から構成されるハニカム構造体３３から成る。セル３２は、上下方向Ｈに平行な各隔壁３１によって仕切られ、前後方向Ｄ及び左右方向Ｌそれぞれに複数並べられている。各セル３２を仕切り外周を構成する隔壁３１は、前後方向Ｄ及び左右方向Ｌに平行な面（すなわち遊間の両端面に直交する直交面Ｖ）において屈曲する複数の屈曲部３４が設けられている。本実施形態においては、ハニカム構造体３３が左右方向Ｌ及び前後方向Ｄに伸縮されていない状態では、各セル３２の外周を構成する隔壁３１は、６つの屈曲部３４を有し断面正六角形に形成される。
【００２４】
図３に示すように、ハニカム構造体３３は、左右方向Ｌに直線的に並べられた複数のセル３２によって形成された列が、前後方向Ｄに複数列並べられて構成される。ここで、複数の列のうち、前方側から数えた場合に偶数となる偶数列ＥＬの各セル３２は、奇数となる奇数列ＯＬの２つの隣り合うセル３２の左右方向における中央に配置される。各セル３２を構成する隔壁３１の一対の対向面は、前後方向Ｄに平行に（すなわち、左腹板１４Ａ、右腹板１４Ｂに平行に）配置された平行隔壁部３１Ｐとなる。一方、隔壁３１のその他の面は、前後方向Ｄに対して傾斜する傾斜隔壁部３１Ｓとなる。
【００２５】
支持部材２１の各隔壁３１は、例えば、エラストマー、樹脂、金属、紙等によって形成される。エラストマーとしては、ＥＰＤＭ、ＣＲ（クロロプレンゴム）等のゴム類、または、熱可塑性エラストマー等が使用される。樹脂としては、例えば塩化ビニル、ポリエチレン、ポリプロピレン、ポリウレタン等が使用される。金属としては、アルミニウム、ステンレス、鉄等が使用されるが、屈曲部３４での破断が起こりやすいため、屈曲部３４のみエレストマーで構成した複合材料が使用されることが好ましい。また、紙を使用する場合は、耐水性を向上させるために、フェノール樹脂等を含浸させた防水加工紙が好ましい。これらの材料のなかで、耐屈曲性、復元性確保、施工性確保等のために少し材料自体に弾性があった方が好ましいので、エラストマー、樹脂がより好ましい。
【００２６】
ハニカム構造体３３は、その左端面３３Ｌ、右端面３３Ｒが、左腹板１４Ａ及び右腹板１４Ｂの内面に当接するように配置される。左端面３３Ｌ、右端面３３Ｒは、平行隔壁部３１Ｐによって形成されるので、左腹板１４Ａ及び右腹板１４Ｂに沿って配置させることができる。なお、左端面３３Ｌ及び右端面３３Ｒそれぞれは、左腹板１４Ａ及び右腹板１４Ｂの内面に固着されていても良い。この場合、２つ以上のセル３２の平行隔壁部３１Ｐが１つの腹板に固着すると、ハニカム構造体３３が前後方向Ｄに伸縮できなくなるので、１つのセル３２の平行隔壁部３１Ｐのみが各腹板１４Ａ、１４Ｂに固着される。
【００２７】
止水シート２３は、ゴム等のエラストマーで形成され、非収縮状態では直交面Ｖに略平行な平面シート状になる。止水シート２３は、前後方向Ｄ及び左右方向Ｌに伸縮性を有し、後述するように遊間距離が小さくなると波形変形して収縮するが、止水シート２３は、ハニカム構造体３３に比べると、相対的に小さな力によって相対的に大きく収縮することが可能である。止水シート２３は、収縮した状態から伸張するときも、ハニカム構造体３３に比べると、相対的に小さな力によって相対的に大きく伸張することが可能である。これにより、本実施形態では、ハニカム構造体３３の変形に止水シート２３を追従させることが可能になる。図４に示すように、止水シート２３は、その下面から、前後方向Ｄ及び左右方向Ｌに等間隔に碁盤目状に並べられた複数の凸部３５が突出している。止水シート２３は、その左端部２３Ｌ及び右端部２３Ｒそれぞれが左腹板１４Ａ及び右腹板１４Ｂに接着剤等によって接着され、左端部２３Ｌと左腹板１４Ａ及び右端部２３Ｒと右腹板１４Ｂは、これらの間の水密性が維持された状態で接続される。これにより、止水シート２３は遊間１２全体を覆い塞ぎ、遊間１２から下方へ漏水するのを防止する。
【００２８】
止水シート２３の各凸部３５は、左右方向Ｌに延びる各列において、例えば１個おきセル３２に挿入されていると共に、前後方向Ｄにおいても１列おきにセル３２に挿入されている。すなわち、凸部３５は奇数列ＯＬ又は偶数列ＥＬのいずれか一方のみに挿入される。各凸部３５は、例えば円柱状に形成され、非伸縮状態の各セル３２の対向する対向面間の離間距離それぞれよりも短い径を有しており、これにより、各凸部３５はセル３２内において移動することが可能である。
【００２９】
なお、凸部３５は左右方向Ｌにおいて２個以上おきにセル３２に挿入されていても良い。また、前後方向Ｄにおいても２列以上おきにセル３２に挿入されていても良いが、この場合も凸部３５は奇数列ＯＬ又は偶数列ＥＬのいずれか一方のセル３２のみに挿入されることが好ましい。奇数列ＯＬと偶数列ＥＬとは、各セル３２の左右方向Ｌにおける位置が異なるため、前後方向Ｄに一列に並べられた凸部３５を、偶数列ＥＬと奇数列ＥＬの両方のセル３２に挿入することが難しくなるからである。
【００３０】
保護層２４は、ポリエチレンフォーム等の連続気泡フォームやＥＰＤＭフォーム等の独立／連続混在気泡フォームから構成され、上下方向Ｈ、左右方向Ｌ及び前後方向Ｄのいずれの方向にも高い伸縮性を有している。保護層２４は、櫛形鋼板ジョイント１３と止水シート２３の間の隙間を埋め、土砂等が止水シート２３の上に堆積されるのを防止する。保護層２４は、その下面が止水シート２３に接着されていなくても良いし、部分的に接着されていても良いし、全面的に接着されていても良い。但し、保護層２４は場合によっては省略することも可能である。
【００３１】
本実施形態において、支持部材２２が収縮されていない状態から、左腹板１４Ａ及び右腹板１４Ｂの少なくとも一方が左右方向Ｌに移動し、遊間距離が小さくなると、支持部材２２は左右方向Ｌにおいて左腹板１４Ａ及び右腹板１４Ｂによって狭圧されることとなる。支持部材２２は、この挟圧により、屈曲部３４を起点に図６に示すように、左右方向Ｌに収縮させられると共に、前後方向Ｄに膨張する。また、止水シート２３は、左腹板１４Ａ及び右腹板１４Ｂによって、挟圧されることにより、図５に示すように、部分的に上方に膨れて波形に形成される。
【００３２】
ここで、止水シート２３の凸部３５が設けられた部分は、凸部３５が隔壁３１に当接し又は凸部３５の自重により上方にほとんど膨れないので、凸部３５が設けられた部分は、波形の底部を形成する。凸部３５は左右方向Ｌに等間隔に並べられるので、止水シート２３によって形成される波形は規則的な形状となる。なお、ハニカム構造体３３の前後方向Ｄの伸張量が大きくなると、ハニカム構造体３３の隔壁３１の内壁面が凸部３５に当接して引っ張ることにより、止水シート２３は前後方向Ｄに伸張される。また、保護層２４は、左腹板１４Ａ及び右腹板１４Ｂによって挟圧され、さらに止水シート２３によって上方に向けて押圧されることにより、左右方向Ｌ及び上下方向Ｈにおいて収縮させられる。
【００３３】
一方、支持部材２２が収縮した状態から、左腹板１４Ａ及び右腹板１４Ｂが左右方向Ｌにおいて離間して遊間距離が大きくなると、ハニカム構造体３３の各セル３２が屈曲部３４を起点に復元する。すなわち、支持部材２２は、左腹板１４Ａ及び右腹板１４Ｂに追従して、左右方向Ｌに伸張すると共に、前後方向Ｄに収縮する。また、止水シート２３は波形の波高さが小さくなり、又は完全に平面になるように左右方向に伸張すると共に、前後方向Ｄに伸張されていたときは、前後方向Ｄに収縮する。
【００３４】
本実施形態において、支持部材２２は、ハニカム構造体３３で形成されることによって、左右方向Ｌの伸縮性が良好になるので、支持部材２２に無理な負荷を作用させずに、遊間の距離を変化させることができる。一方、ハニカム構造体３３は、上下方向Ｈにおける伸縮性が低く剛性が高いので、保護層２４の上面に土砂が堆積しても、支持部材２２の下方への沈下を抑制することができ、遊間用止水材１０の耐久性を向上させることができる。
【００３５】
また、本実施形態では、凸部３５の径がセル３２の対向面の離間距離それぞれよりも小さい。したがって、止水シート２３を支持部材２２の上面に載せるとき、凸部３５は容易にセル３２の内部に挿入することができるので、止水シート２３の設置が容易になる。また、本実施形態では、平面状に形成された止水シート２３は規則的な波形に変形される。したがって、止水シート２３が伸縮されたとき、止水シート２３に無理な負荷が作用されず、止水シート２３と腹板１４Ａ、１４Ｂとの間の水密性を維持することが容易になり、止水性が向上する。
【００３６】
なお、各セル３２は、断面正六角形であったが、正六角形以外の六角形断面であっても良い。例えば図７（ａ）では、セル３２の隔壁３１は、第１の実施形態と同様に、２つの対向する前後方向Ｄに平行な平行隔壁部３１Ｐと、４つの前後方向Ｄから傾く傾斜隔壁部３１Ｓを有する。そして、隣接する２つの傾斜隔壁部３１Ｓそれぞれが屈曲部３４を頂点にし、その頂点が同じ方向に向けられたＶ字を呈し、各セル３２は山形形状の六角形断面となる。この場合、左右方向Ｌに並べられた複数のセル３２は、屈曲部３４によって形成されるＶ字頂部が交互に前方、後方に向けられ、奇数列ＯＬの各セル３２は、左右方向において、偶数列ＥＬの各セル３２と同一の位置に配置される。
【００３７】
但し、各セル３２が上記山形形状の断面六角形を呈する場合、図７（ｂ）に示すように、全てのセル３２のＶ字頂部が同じ方向に向けられていても良い。この場合も、偶数列ＥＬの各セル３２は、左右方向において、奇数列ＯＬの各セル３２と同一位置に配置される。また、図７（ｃ）に示すように、奇数列ＯＬのＶ字頂部が後方に向けられ、偶数列ＥＬのＶ字頂部が前方に向けられていても良い。この場合、図７（ｃ）の例では、偶数列ＥＬの各セル３２は、左右方向Ｌにおいて、奇数列ＯＬの隣接する２つのセル３２の間に配置されている。
【００３８】
また、例えば、図７（ｄ）に示すように、奇数列ＯＬの各セル３２において、隣接する２つの傾斜隔壁部３１Ｓは、屈曲部３４によって形成されるＶ字頂部が全てセル３２の内側に向けられていても良い。この場合、偶数列ＥＬの各セル３２において、２つの隣接する傾斜隔壁部３１Ｓは、Ｖ字頂部が全てセル３２の外側に向けられ、偶数列ＥＬのセル３２は例えば断面正六角形に形成される。勿論、奇数列ＯＬの各セル３２において、隣接する２つの傾斜隔壁部３１Ｓによって形成されたＶ字頂部が全てセル３２の外側に向けられ、偶数列ＥＬの各セル３２において、隣接する傾斜隔壁部３１Ｓによって形成されたＶ字頂部が全てセル３２の内側に向けられていても良い。
【００３９】
図７（ａ）、（ｂ）及び（ｄ）の構成を有するハニカム構造体３３は、上述したように、各列のセル３２の左右方向Ｌにおける配置位置が同一である。これにより、左右方向Ｌの位置が同一である複数のセル３２の左側及び右側それぞれの平行隔壁部３１Ｐは、遊間１２の端面に平行な同一平面Ｐを形成する。同一平面Ｐは、ハニカム構造体３３が伸縮しても、それに伴って伸縮されない。すなわち、対向する傾斜隔壁部３１Ｓ間の離間距離は、ハニカム構造体３３の伸縮に伴って変化しない。同様に、図７（ｃ）の例でも、対向する傾斜隔壁部３１Ｓ間の離間距離は変化しない。したがって、図７（ａ）〜（ｄ）で示したハニカム構造体３３は、左右方向Ｌに収縮されても、前後方向Ｄへの伸張量は抑えられる。これにより、後述する第２の実施形態のように前後方向Ｄへの膨らみを抑えるための隙間を設けなくても、ハニカム構造体３３の前後方向Ｄへの伸張量は抑えられるので、これらのハニカム構造体３３は止水材に用いるのに適している。
【００４０】
また、第１の実施形態においては、ハニカム構造体３３において、偶数列ＥＬと奇数列ＯＬにおけるセル３２の左右方向における位置が互いに異なるから、ハニカム構造体３３の左端面３３Ｌ及び右端部３３Ｒは、凹凸に形成される。しかし、図７（ａ）、（ｃ）及び（ｄ）に示すハニカム構造体３３では、その左端面３３Ｌ及び右端面３３Ｒも同一平面Ｐによって形成され、ハニカム構造体３３は腹板１４Ａ、１４Ｂによって挟圧されやすくなる。さらに、２以上のセル３２の平行隔壁部３１Ｐを各腹板１４Ａ、１４Ｂに固着させることも可能である。
【００４１】
ハニカム構造体の各セル３２の構造は、六角形でなくても良く、図８（ａ）に示すように、四角形等の他の多角形であっても良い。また、図８（ｂ）に示すように、前後方向Ｄに平行な平行面を有さない隔壁３１によって各セル３２が形成されても良い。
【００４２】
また、図８（ｃ）に示すように、各セル３２の隔壁３１が平面３１Ｂと直交面Ｖ（図１参照）において湾曲した曲面３１Ａとの組み合わせであっても良い。さらに、各セル３２の隔壁３１は、図８（ｄ）に示すように、略円形の断面を有すことにより、直交面Ｖにおいて湾曲した曲面のみから形成されても良い。図８（ｃ）、（ｄ）に示したハニカム構造体３３は、屈曲部が設けられないが、湾曲した曲面が変形することにより少なくとも一方向に伸縮可能であり、左右方向Ｌに伸縮可能なように配置される。
【００４３】
図９は本発明に係る第２の実施形態について説明するための図である。第１の実施形態では、凸部３５の長さは各セルの上下方向の長さよりも短かったが、本実施形態では、凸部３５の長さはセルの長さよりも僅かに長く、または同一となり、凸部３５の下端は各セル３２の下端まで延ばされる。凸部３５の下端には、セル３２の対向面の離間距離よりも大きい長さを有する平板３６が取り付けられ、平板３６の上面は、隔壁３１の対向面（本実施形態では平行隔壁部３１Ｐ）の下端面に当接している。
【００４４】
本実施形態では、凸部３５が設けられた部分が上方に移動しようとすると平板３６が隔壁３１の下端面に係合するので、凸部３５が設けられた部分の上方への移動を確実に防止することができる。したがって、遊間距離が短くされたとき、止水シート２３によって形成される波形をより規則的にすることができる。また、止水シート２３の各凸部３５が運搬時等に各セルから外れることも防止される。なお、平板３６は全ての凸部３５の下端に設けられていても良いし、一部の凸部３５に設けられていても良い。
【００４５】
図１０は、本発明の第３の実施形態に係る支持部材の一部を示す上面図である。本実施形態において、第１の実施形態と相違する点は、支持部材２２が複数のハニカム構造体を有している点である。以下、本実施形態について第１の実施形態との相違点を説明する。
【００４６】
本実施形態において、隔壁３１によって仕切られたセル３２が前後方向Ｄ及び左右方向Ｌに複数並べられて形成された第１及び第２のハニカム構造体（セル群）３３Ａ、３３Ｂが、前後方向Ｄに所定の隙間５３を介して並べられている。本実施形態においては、第１及び第２のハニカム構造体３３Ａ、３３Ｂの各セル３２の構成は、第１の実施形態と同様であるのでその説明は省略する。また、第１及び第２のハニカム構造体３３Ａ、３３Ｂは、それぞれその左端面３３Ｌ及び右端面（不図示）が左腹板１４Ａ及び右腹板１４Ａに、第１の実施形態と同様に当接されている。なお、止水シート２３は、第１及び第２のハニカム構造体３３Ａ、３３Ｂに跨ってこれらの上に載せられると共に、第１の実施形態と同様にセル３２に挿入するための凸部が設けられる。
【００４７】
図１１に示すように、第１及び第２のハニカム構造体３３Ａ、３３Ｂは、左右方向Ｌに沿って挟圧されると、それぞれ前後方向Ｄに膨らむが、第１のハニカム構造体３３Ａの後方側に膨らんだ部分、及び第２のハニカム構造体３３Ｂの前方側に膨らんだ部分は、隙間５３を埋めることなる。すなわち、本実施形態では、第１及び第２のハニカム構造体３３Ａ、３３Ｂの前後方向Ｄの膨らみは、隙間５３によって吸収され、結果として支持部材２２全体としての前後方向Ｄへの膨らみは抑えられる。なお、本実施形態においては、前後方向Ｄに並べられるハニカム構造体は２つであったが、３つ以上であっても良い。
【００４８】
図１２、１３は、本発明に係る第４の実施形態について説明するための図である。第３の実施形態では、止水シート２３には凸部３５が設けられていたが、本実施形態では、凸部３５が設けられず、止水シート２３は部分的にハニカム構造体３３の上面に固着されている。以下、第４の実施形態について第３の実施形態との相違点について説明する。
【００４９】
本実施形態では、第１及び第２のハニカム構造体３３Ａ、３３Ｂは、所定の１列（図１３では所定の偶数列ＥＬ）における、前後方向Ｄに平行な平行隔壁部３１Ｐの上端面それぞれが固着部分５０として、止水シート２３に固着される。このような構成により、固着部分５０は、左右方向Ｌに沿って１列に等間隔に並べられると共に、左右方向Ｄにおける各所定位置で前後方向Ｌに沿って複数（本実施形態では２つ）並べられる。
【００５０】
本実施形態では、遊間距離が短くされると、止水シート２３は、第１の実施形態と同様に、左右に縮められ、左右方向Ｌにおいて隣接する２つの固着部分５０の間の部分が上側に膨らむ。これにより止水シート２３は、第１の実施形態と同様に左右方向に沿って規則的に波形に形成される。なお、固着部分５０は、各列において、１個以上おきに平行隔壁部３１Ｐの上端に設けられていても良い。
【００５１】
図１４は、本発明に係る第５の実施形態について説明するための図である。第４の実施形態では、各セル３２は断面正六角形であったが、本実施形態では、図７（ａ）に示す山形形状の断面六角形であると共に、ハニカム構造体３３は１つしか設けられない。
【００５２】
本実施形態では、上述したように、左右方向Ｌにおける同一位置において前後方向Ｌに沿って複数並べられたセル３２の左側及び右側の平行隔壁部３１Ｐは、同一平面Ｐとして形成される。同一平面Ｐを構成する平行隔壁部３１Ｐの上端面は、前後方向Ｄに直線的に延びている。本実施形態では、その上端面が固着部分５０として、ハニカム構造体３３が止水シート２３に固着される。
【００５３】
本実施形態では、第４の実施形態に比べて固着部分の面積を広くすることができるので、止水シート２３をハニカム構造体３３に安定して固着することができる。
【００５４】
なお、本実施形態では、平行隔壁部３１Ｐの上端の厚さが他の部分より大きくされ、上端面が幅広にされて、同一平面Ｐの上端面の面積が大きくされても良い。このような構成によれば、固着面積が大きくなるので、より安定して止水シート２３をハニカム構造体３３に固着できるが、固着部分５０の幅を広げすぎると、止水シート２３の伸縮可能な部分が狭くなる。
【００５５】
なお、上記第４及び第５の実施形態においては、上記固着部分５０において、止水シート２３はハニカム構造体３３のみならず保護層２４にも固着していても良い。但し、第４の実施形態では、止水シート２３と保護層５０との固着部分５０は、左右方向Ｌにおける同一位置において、止水シート２３の前端部から後端部まで前後方向Ｄに沿って連続的かつ直線的に延びていても良い。
【００５６】
上記各実施形態では、止水シート２３は、ハニカム構造体３３に固着され、又は凸部３５を有することにより、止水シート２３は規則的な波形に変形されている。しかし、止水シート２３はハニカム構造体３３に固着されず、さらには凸部３５を有さなくても良い。この場合、止水シート２３は第１の実施形態と同様に部分的に上側に膨らみ波形に変形するが、規則的な波形には変形されない。したがって、例えば、腹板１４Ａ、１４Ｂと止水シート２３との固着部分に大きな負荷が作用され、これらの間の水密状態が維持しにくくなる場合がある。
【００５７】
また、止水シート２３が凸部３５を有さず、さらにハニカム構造体３３に固着されていない場合でも、止水シート２３は、上記固着部分５０において保護層２４に固着されていても良い。また、上記固着部分５０以外において、保護層２４に固着されていても良い。
【００５８】
図１５は、第６の実施形態に係るハニカム構造体を示す斜視図である。本実施形態において、上記各実施形態と相違する点は、ハニカム構造体３３の上端面３３Ｕの形状である。以下、本実施形態について第１の実施形態との相違点を説明する。
【００５９】
第１の実施形態において、ハニカム構造体の上端面３３Ｕは、平面状に形成されていたが、本実施形態では左右方向に沿って規則的な波形に形成される。すなわち、本実施形態では、奇数列ＯＬの同一セル３２において、隣接する２つの傾斜隔壁部３１Ｓの上端部３１Ｕは、側方から見ると、それら隔壁面３１Ｓの間の屈曲部３４を底部とした、Ｖ字谷形に切断された形状を呈する。また、偶数列ＥＬの同一セル３２において、隣接する２つの傾斜隔壁部３１Ｓの上端部３１Ｔは、側方から見ると、それら隔壁面３１Ｓの間の屈曲部３４を頂部とした、Ｖ字山形に切断された形状を呈する。そして、奇数列ＯＬの前後方向Ｄに平行な平行隔壁部３１Ｐの上端部の高さ位置は、偶数列ＥＬにおける平行隔壁部３１Ｐの上端面の高さ位置よりも高く、これにより、ハニカム構造体３３の上端面３３Ｕは左右方向Ｌに沿った規則的な波形に形成される。
【００６０】
本実施形態において、遊間距離が短くなると、第１の実施形態と同様に、止水シート２３（図１参照）は左右方向Ｌに沿って挟圧されることによって波形に変形する。ここで本実施形態では、ハニカム構造体３３（支持部材２２）の上端面３３Ｕが波形に形成されたことによって、止水シート２３とハニカム構造体３３の上端面３３Ｕの間には、左右方向Ｌに沿って波形に形成された隙間が生じている。また、本実施形態でも、遊間距離が短くなると保護層２４も同様に圧縮し、止水シート２３は保護層２４によって上方から僅かに押圧されることとなる。したがって、本実施形態では遊間距離が短くなると、止水シート２３は、上端面３３Ｕに沿って部分的に下方に膨れて、左右方向Ｌに沿った規則的な波形に変形される。
【００６１】
なお、本実施形態では、止水シート２３には第１の実施形態と同様に、凸部３５が設けられていても良いが、凸部３５は設けられなくても止水シート２３は規則的に波形に変形されるので、凸部３５は設けられなくても良い。また、本実施形態では、ハニカム構造体３３は、そのいずれか１列における各平行隔壁部３１Ｐの上端面が固着部分として、止水シート２３（図１参照）の下面に固着されていても良い。このような構成によれば、より確実に止水シート２３を規則的に波形変形させることが可能である。
【００６２】
また、本実施形態では、奇数列ＯＬの同一セルの２つの隣接する傾斜隔壁部３１ＳがＶ字山形に、偶数列ＥＬの同一セルの２つの隣接する傾斜隔壁部３１ＳがＶ字谷形に形成されていても良い。また本実施形態では、各セルそれぞれにおいて、１つのＶ字山形又はＶ字谷形が形成されていたが、２つ以上のセルに跨って、１つのＶ字山形又はＶ字谷形が形成されていても良い。
【００６３】
図１６、１７は、第７の実施形態に係る遊間用止水部材を示す図である。第１の実施形態において、止水シート２３は、平面シート状に形成されていたが、本実施形態では、各セル３２に対応した位置において、上面２３Ｕから下方に凹まされて、凸部先端面３５Ａと、側壁面３５Ｂから構成される、内部が中空の複数の凸部３５が形成されている。本実施形態では、各凸部３５は、各セル３２に一致した形状を呈し、すなわち、側壁面３５Ｂは直交面Ｖ（図１参照）において屈曲されて複数の屈曲部５４が設けられ、左右方向Ｌ及び前後方向Ｄに圧縮されない状態では、断面正六角形に形成される。止水シート２３は、各凸部３５が各セル３２に嵌合された状態で、ハニカム構造体３３の上に載せられる。
【００６４】
止水シート２３の左端部２３Ｌ及び右端部２３Ｒそれぞれは、下方に折り曲げられ、シート状の第１及び第２の折り曲げ部５５Ａ、５５Ｂが形成されている。第１及び第２の折り曲げ部５５Ａ、５５Ｂの外側面は、左腹板１４Ａ及び右腹板１４Ｂに沿って配置され、左腹板１４Ａ及び右腹板１４Ｂに接着固定される。これにより、本実施形態でも、止水シート２３は、左腹板１４Ａ及び右腹板１４Ｂに、水密に接続される。
【００６５】
ハニカム構造体３３（すなわち、支持部材２２）の左端面３３Ｌ及び右端面３３Ｒそれぞれは、第１及び第２の折り曲げ部５５Ａ、５５Ｂの内側面に沿って配置される。したがって、支持部材２２が圧縮されない状態では、左端面３３Ｌ及び右端面３３Ｒそれぞれは、左腹板１４Ａ及び右腹板１４Ｂから僅かに離間されている。
【００６６】
本実施形態でも、遊間距離が相対的に短くなると、止水シート２３及びハニカム構造体３３は左右方向に挟圧される。この挟圧により、ハニカム構造体３３は第１の実施形態と同様に、屈曲部３４を起点に圧縮変形される。一方、止水シート２３は、凸部３５が設けられない部分や凸部先端面３５Ａが僅かに上方に膨らむと共に、各セル３２の変形に追従して各凸部３５が各屈曲部５４を起点に前後方向Ｄに膨らむように変形される。
【００６７】
止水シート２３及びハニカム構造体３３が圧縮された状態から遊間距離が相対的に長くなると、ハニカム構造体３３は第１の実施形態と同様に復元される。また、止水シート２３は、上方に膨らみ変形した部分が下方に沈み込むと共に、凸部３５が屈曲部５４を起点に左右方向Ｌに伸張されて、復元されることとなる。以上の構成により、本実施形態においても、遊間距離が変化されても、第１及び第２の折り曲げ部５５Ａ、５５Ｂそれぞれと、左腹板１４Ａ及び右腹板１４Ｂとの接着部分には、大きな負荷が作用されず、これらの間の水密状態は確保されやすくなる。
【００６８】
なお、本実施形態では、ハニカム構造体３３の圧縮量が相対的に少ないときには、ハニカム構造体３３は、第１及び第２の折り曲げ部５５Ａ、５５Ｂを介して左腹板１４Ａ及び右腹板１４Ｂによって挟圧される。しかし、圧縮が進み圧縮量が多い場合には、ハニカム構造体３３が変形されて、左腹板１４Ａ及び右腹板１４Ｂによって直接挟圧されても良い。また、止水シート２３には、第１の実施形態と同様に第１及び第２の折り曲げ部５５Ａ、５５Ｂが設けられなくても良い。この場合、ハニカム構造体３３は非収縮状態で左腹板１４Ａ及び右腹板１４Ｂに当接していても良い。
【００６９】
なお本実施形態において、全てのセル２２に凸部３５が嵌合されているが、第１の実施形態と同様に一部のセル２２のみに凸部３５が嵌合されていても良い。
【００７０】
また、本実施形態でも、上記各実施形態と同様に、保護層２４を省略することもできるが、一部のセル２２のみに凸部３５が嵌合されている場合には、保護層２４は省略しないほうが良い。一部のセル２２のみに凸部３５が嵌合されている場合、止水シート２３の凸部３５が設けられていない部分は、上方に大きく膨らむので、保護層２４によってその膨らみを押さえ込む必要があるからである。
【００７１】
図１８は、本発明の第８の実施形態にについて説明するための図である。以下、第８の実施形態について第１の実施形態との相違点について説明する。
【００７２】
本実施形態において、支持部材２２は、左腹板１４Ａ及び右腹板１４Ｂそれぞれに接着される不陸吸収調整材４０と、不陸吸収調整材４０の内面に接着される支柱層４１とをさらに備え、ハニカム構造体３３は支柱層４１によって左右から挟まれて配置される。
【００７３】
不陸吸収調整材４０は、腹板１４Ａ、１４Ｂの内面の凹凸を吸収するためのものであって、例えば連続気泡フォーム等の弾性材料で形成される。不陸吸収調整材４０は、その内部（例えば、連続気泡フォームの内部）に含浸された接着剤によって、腹板１４Ａ、１４Ｂ、及び支柱層４１に接着されている。これにより、支柱層４１は、不陸吸収調整材４０を介して水密が維持された状態で腹板１４Ａ、１４Ｂに接着される。支柱層４１は、不陸吸収調整材４０（すなわち、連続気泡フォーム）よりも弾性率が高い独立気泡フォーム、ゴム等の弾性材料によって形成される。そして、支柱層４１の左右方向Ｌにおける伸縮性は、ハニカム構造体３３の左右方向Ｌにおける伸縮性より低くなる。
【００７４】
遊間距離が短くされ、支持部材２２が左右から挟圧されると、支柱層４１は伸縮性が低く、また不陸吸収調整材４０は接着剤が含浸されかつ厚みが薄いため、支柱層４１及び不陸吸収調整材４０は実質的に収縮しない。一方、ハニカム構造体３３は左右方向Ｌにおける伸縮性が高いので、左右方向Ｌに収縮され、本実施形態では、遊間距離の変化は、実質的にハニカム構造体３３によって吸収される。
【００７５】
止水シート２３の左端部２３Ｌ、右端部２３Ｒは、左腹板１４Ａ、右腹板１４Ｂに加えて、不陸吸収調整材４０及び支柱層４１の上面にも、水密に接着される。これにより、本実施形態では、止水シート２３及び支柱層４１が一体となって、これらと左腹板１４Ａ及び右腹板１４Ｂとの間の水密状態を維持するので、より良好な止水性を確保できる。
【００７６】
なお、本実施形態においては、支柱層４１は不陸吸収調整材４０を介して腹板１４Ａ、１４Ｂに接着されていたが、不陸吸収調整材４０は省略され、支柱層４１が直接左腹板１４Ａ及び右腹板１４Ｂに接着されていても良い。
【００７７】
図１９は、本発明の第９の実施形態に係る遊間用止水部材を示す部分断面図である。図２０は、第９の実施形態に係る遊間用止水部材の止水シートの右端部近傍の様子を拡大分解して示す部分断面図である。
【００７８】
本実施形態においては、止水シート２３の左端部２３Ｌ及び右端部２３Ｒの下方に、第１及び第２の押え部材６１Ａ、６１Ｂが設けられると共に、止水シート２３の左端部２３Ｌ及び右端部２３Ｒそれぞれの上方に第１及び第２の固定部材６２Ａ、６２Ｂが設けられる。
【００７９】
第１及び第２の固定部材６２Ａ、６２Ｂそれぞれは、左右方向Ｌ及び前後方向Ｄに平行に設けられ、それぞれ左腹板１４Ａ及び右腹板１４Ｂに一体固定される平板部６２Ｃと、平板部６２Ｃの下面から下方向に突出し、外周にネジが切られたボルト部６２Ｄとを備える。第１及び第２の押え部材６１Ａ、６１Ｂそれぞれは、左右方向Ｌ及び前後方向Ｄに平行に設けられ、平板状に形成される挟み板部６１Ｃと、挟み板部６１Ｃの内側の端部（右端部又は左端部）から上下方向Ｈに平行に下向きに突出する突出板部６１Ｄから構成される。挟み板部６１Ｃには、ボルト部６２Ｄが挿入するための孔６１Ｅが穿設される。同様に、止水シート２３の左右の端部２３Ｌ、２３Ｒにもボルト部６２Ｄが挿入するための孔２３Ｈが穿設される。
【００８０】
ボルト部６２Ｄは、止水シート２３の孔２３Ｈ及び挟み板部６１Ｃの孔６１Ｅに順に挿入されると共に、挟み板部６１Ｃの下方にはナット６５が設けられ、そのナット６５によって挟み板部６１Ｃと平板部６２Ｃが止水シート２３を挟み込んだ状態で締結される。これにより、止水シート２３の右端部２３Ｒ及び左端部２３Ｌそれぞれは、左腹板１４Ａ及び右腹板１４Ｂとの間の水密を維持して状態で、左腹板１４Ａ及び右腹板１４Ｂに接続されることになる。
【００８１】
第１及び第２の固定部材６１Ａ、６１Ｂの突出板部６１Ｄの間には、第１の実施形態と同様の構成を有し、かつ受け部材２１の上に載せられたハニカム構造体３３（支持部材２２）が配置される。ハニカム構造体３３の左端面３３Ｌ及び右端面３３Ｒそれぞれは、第１及び第２の固定部材６１Ａ、６１Ｂそれぞれの突出板部６１Ｄの内面に当接されている。ハニカム構造体３３は接着剤等によってこれら突出板部６１Ｄに接着固定されていても良いし、接着固定されていなくても良い。なお、突出板部６１Ｄの下端部は受け部材２１の上面に接触していても良いが、受け部材２１の上面には固定されていない。
【００８２】
止水シート２３は、第１の実施形態と同様に、セルに挿入される複数の凸部が設けられていても良いし、第４の実施形態のようにハニカム構造体３３に固着されていても良い。また、止水シート２３の上に設けられた保護層２４は、平板部６２Ｃの上方に設置しやすいように、保護層２４の右端部及び左端部近傍において、前後方向Ｄに平行で上下方向Ｈに対して傾く分断面Ｓに沿って左右に分断されている。但し、保護層２４は、分断面Ｓに沿って分断されていなくても良いし、分断面Ｓは前後方向Ｄ及び上下方向Ｈに平行に設けられていても良い。
【００８３】
本実施形態において、左腹板１４Ａ及び右腹板１４Ｂのいずれか一方が左右方向Ｌに変位して、遊間距離が変化すると、第１及び第２の受け部材６１Ａ、６１Ｂの少なくとも一方は、第１及び第２の固定部材６２Ａ、６２Ｂそれぞれと一体となって左右方向Ｌに変位する。この変位に伴い、ハニカム構造体３３は第１の実施形態と同様に左右方向Ｌに伸縮される。また、止水シート２３及び保護層２４も上記各実施形態と同様に変形される。
【００８４】
以上のように本実施形態では、止水シート２３が、第１及び第２の受け部材６１Ａ、６１Ｂによって物理的に挟み固定された状態で左腹板１４Ａ及び右腹板１４Ｂに接続されている。したがって、止水シート２３と両腹板１４Ａ、１４Ｂとの間の水密状態は強固に維持されるので、止水性の高い遊間用止水材１０を提供することが可能になる。
【００８５】
なお、本実施形態においては、第１及び第２の受け部材６１Ａ、６１Ｂそれぞれは、第１及び第２の固定部材６２Ａ、６２Ｂそれぞれに、一組の締結手段（すなわち、ナットとボルト）によって締結されているが、前後方向Ｄ（図１参照）に並べられた２組以上の締結手段によって締結されていても良い。
【００８６】
図２１は、本発明の第１０の実施形態に係る遊間用止水部材を示す部分断面図である。第１の実施形態では、止水シート２３は平面状に延ばされているが、図２１に示すように、本実施形態では、止水シート２３は折りたたまれて、支持部材２２の上に設けられている。以下、本実施形態について、第１の実施形態との相違点について説明する。
【００８７】
本実施形態では、ハニカム構造体（支持部材２２）３３の上には、止水シート２３より硬質で、プラスチック又は金属等から形成される平板７０が載せられている。平板７０は複数のセル３２に跨って載せられるように、左右方向Ｌ及び前後方向Ｄ（図１参照）において所定の長さを有しているが、左右方向Ｌにおける長さは、支持部材２２が最も収縮されたときの遊間距離の長さより短い。平板７０の左右方向における中央部７０Ｃの下面には、下方に突出する凸部７１が設けられ、その凸部７１はハニカム構造体３３のセル２２の内部に挿入されている。
【００８８】
本実施形態では、保護層２４と平板７０との間には、第１及び第２のスライド補助板７２Ａ、７２Ｂが設けられる。第１のスライド補助板７２Ａは、左腹板１４Ａに沿って設けられ、左腹板１４Ａに不図示のボルト等によって固定される第１の固定板７３Ａと、第１の固定板７３Ａの上端から右方向に延出し、平板７０の上方に配置される第１の延出板部７４Ａとから成る。第２のスライド補助板７２Ｂも、同様に、右腹板１４Ｂに固定される第２の固定板部７３Ｂと、第２の固定板部７３Ｂの上端から左方向に延出し、平板７０の上方に配置される第２の延出板７４Ｂとから成る。なお、支持部材２２が最も収縮されたときにおいても、第１及び第２の延出板部７４Ａ、７４Ｂの左端部及び右端部それぞれは中央部７０Ｃを超えることはない。
【００８９】
止水シート２３は、平板７０の上面に沿ってシート状に延ばされると共に、平板７０の上に接着固定されている。そして、止水シート２３はさらに、平板７０の上面の左端部から左方向にはみ出して所定距離延出し、その延出した部分は、折り目Ｍを起点に折り畳まれて、第１の延出板部７４Ａの下面に沿って、第１の延出板部７４Ａの右端部まで右方向に延ばされる。止水シート２３は、第１の延出板部７４Ａの右端部において再び折り畳まれて、第１の延出板部７４Ａの上面に沿って左腹板１４Ａまで左方向に延ばされる。このとき、止水シート２３は、第１の延出板部７４Ａの上面に接着剤等によって接着固定されている。止水シート２３の左端部２３Ｌは、下方に折り曲げられた後、第１の固定部７３Ａと左腹板１４Ａの間に挟み込まれて固定されている。これにより、止水シート２３の左端部２３Ｌは、水密が保持された状態で、左腹板１４Ａに接続される。
【００９０】
同様に、止水シート２３は、平板７０の上面の右端部から右方向にはみ出して延出した後、第２の延出板部７４Ｂの下面及び上面を沿うように折り畳まれている。そして、止水シート２３の右端部２３Ｒは、折り畳まれて右腹板１４Ｂと第１の固定部７３Ｂとの間に挟まれて右腹板１４Ａに水密に接続される。
【００９１】
本実施形態において、支持部材２２はハニカム構造体３３から成り、ハニカム構造体３３の左端面３３Ｌ及び右端面３３Ｒそれぞれは左腹板１４Ｌ及び右腹板１４Ｒに当接される。なお、ハニカム構造体３３は、第１及び第２の固定板７３Ａ、７４Ｂが設けられた部分は、適宜取り除かれていても良い。
【００９２】
本実施形態において、遊間距離が変化すると、第１及び第２の延出板７４Ａ、７４Ｂと平板７０の間において、止水シート２３の二重に重ねられた部分の長さが変化する。したがって、本実施形態でも、遊間距離が変化しても、止水シート２３と左腹板１４Ａ及び右腹板１４Ｂとの接着部分には大きさ負荷が作用されず、これら間の水密は維持される。
【００９３】
また、本実施形態では、平板７０の中心部に設けられた凸部７１が、セル３２に挿入されているので、遊間距離が変化して、ハニカム構造体３３が平板７０に対して相対的に変位しようとすると、凸部７１が隔壁の内面に当接してその相対変位を防止する。したがって、本実施形態では、左右方向Ｌにおいて、平板７０の（すなわち、止水シート）の中央位置を、支持部材２２の略中央位置に一致させた状態に維持させることが可能である。
【００９４】
図２２は、本発明の第１１の実施形態に係る遊間用止水部材を示す部分断面図である。本実施形態では、支持部材２２は、左腹板１４Ａと右腹板１４Ｂの間に設けられた中柱材８０と、左腹板１４Ａと中柱材８０の間、及び右腹板１４Ｂ及び中柱材８０の間それぞれに設けられた第１及び第２のハニカム構造体８３、８４とを備える。
【００９５】
中柱材８０は、例えば、連続気泡フォーム８０Ａの上に独立気泡フォーム８０Ｂが積層されて構成され、全体として、前後方向Ｄ及び左右方向Ｌにおける伸縮性が、第１及び第２のハニカム構造体８３、８４の伸縮性よりも低い。第１のハニカム構造体８３は、その左端面８３Ｌ及び右端面８３Ｒそれぞれが、左腹板１４Ａ及び中柱材８０に当接されている。同様に、第２のハニカム構造体８４は、その右端面８４Ｒ及び左端面８４Ｌがそれぞれ右腹板１４Ｂ及び中柱材８０に当接されている。なお、第１のハニカム構造体８３は、その左端面８３Ｌ及び右端面８３Ｒそれぞれが、左腹板１４Ａ及び中柱材８０に固着されていても良い。第２のハニカム構造体８４も同様である。
【００９６】
本実施形態において、支持部材２２の上には止水シートとして、第１及び第２の止水シート８１、８２が設けられる。第１の止水シート８１は、その左端部８１Ｌが、左腹板１４Ａに水密に固定接続されると共に、その右端部８１Ｒが中柱材８０の上に載せられ、中柱材８０の上面に水密に固定接着される。第２の止水シート８２は、その右端部８２Ｒが、右腹板１４Ｒに水密に固定接続されると共に、その左端部８２Ｌが第１の止水シート８１の右端部８１Ｒの上に載せられて、そこに水密に接着固定される。
【００９７】
本実施形態においては、遊間距離が短くなると、第１及び第２のハニカム構造体８３、８４は、左右方向において収縮され、これと共に第１及び第２の止水シート８１、８２も縮められ、第１及び第２の止水シート８１、８２は第１の実施形態と同様に波形に変形される。但し、中柱材８０は、左右方向Ｌにおける伸縮性がハニカム構造体８３、８４よりも低く、遊間距離が変化しても実質的には伸縮されない。したがって、本実施形態では、中柱材８０の上に固定接着された第１の止水シート８１の右端部８１Ｒ及び第２の止水シート８２の左端部８２Ｌは、ほとんど縮められないので、中柱材８０と第１及び第２の止水シート８１、８２との水密性は確保しやすくなる。
【００９８】
なお、本実施形態では、第１の止水シート８１の右端部８１Ｒ及び第２の止水シート８２の左端部８２Ｌは、中柱材８０の上で突き合されて、それぞれが中柱材８０の上面に接着固定されていても良い。なお、左腹板１４Ａと右腹板１４Ｂの間には、左右方向に並ぶ２以上の中柱材８０が設けられると共に、３枚以上の止水シートが設けられていても良い。
【００９９】
左右方向に長く（すなわち、幅広の）、かつ薄厚の止水シートは、その製造が困難であるため、遊間が広い場合、止水層を１枚の止水シートで構成することは困難になる。しかし、本実施形態では、遊間が広い場合であっても、止水シートを２枚以上設けることにより、幅広の止水シートが必要とされないので、止水シートの製造が容易になる。
【０１００】
なお、上記各実施形態においては、ハニカム構造体の各セルの内部は、空洞であったが、連続気泡フォーム、独立／連続混在気泡フォーム、独立気泡フォーム等の弾性材料が充填されていても良い。弾性材料としては発泡体の気泡率が高いほうが圧縮されやすいので、連続気泡フォーム、独立／連続混在気泡フォームが好ましい。このような構成によれば、ハニカム構造体は、左右方向Ｌにおいて挟圧されることにより、各セルが変形しかつ弾性材料が体積減少させられ、全体として左右方向に圧縮させられることが可能である。一方、ハニカム構造体が圧縮された状態から左右方向に伸張するときは、セル内部に充填された弾性材料の復元力によりハニカム構造体は左右方向に伸張しやすくなる。したがって、ハニカム構造体は、左右方向に伸張するときの左腹板及び右腹板への追従性が高められる。
【０１０１】
さらに、上記各実施形態において、ハニカム構造体は、上下方向に複数積層されていても良い。同様に、止水シートも上下方向に複数積層されていても良い。
【図面の簡単な説明】
【０１０２】
【図１】本発明の第１の実施形態に係る遊間用止水材を一部を透視して示した斜視図である。
【図２】第１の実施形態に係る遊間用止水材の部分断面図である。
【図３】ハニカム構造体の一部を示す上面図である。
【図４】第１の実施形態に係る止水シートの斜視図である。
【図５】支持部材が圧縮されたときの遊間用止水材の部分断面図である。
【図６】支持部材が圧縮されたときのハニカム構造体の一部を示す上面図である。
【図７】ハニカム構造体の変形例を示した上面図である。
【図８】ハニカム構造体の変形例を示した上面図である。
【図９】第２の実施形態に係る遊間用止水材の部分断面図である。
【図１０】第３の実施形態に係る遊間用止水材の一部を示す上面図である。
【図１１】第３の実施形態において、支持部材が圧縮されたときの様子を示す上面図である。
【図１２】第４の実施形態に係るハニカム構造体を示す部分断面図である。
【図１３】第４の実施形態に係るハニカム構造体の一部を示す上面図である。
【図１４】第５の実施形態に係るハニカム構造体の一部を示す上面図である。
【図１５】第６の実施形態に係るハニカム構造体の一部を示す斜視図である。
【図１６】第７の実施形態において、遊間用止水材を示す部分断面図である。
【図１７】第７の実施形態において、止水シートとハニカム構造体の一部を示す斜視図である。
【図１８】第８の実施形態に係る遊間用止水材を一部を透視して示した斜視図である。
【図１９】第９の実施形態に係る遊間用止水材の部分断面図である。
【図２０】第９の実施形態に係る遊間用止水材の右端部を分解して示した部分断面図である。
【図２１】第１０の実施形態に係る遊間用止水材の部分断面図である。
【図２２】第１１の実施形態に係る遊間用止水材の部分断面図である。
【図２３】従来の遊間用止水材を示す図である。
【符号の説明】
【０１０３】
１０  遊間用止水材
１２  遊間
１４Ａ  左腹板（端面）
１４Ｂ  右腹板（端面）
２２  支持部材
２３  止水シート（止水層）
２４  保護層
３１  隔壁
３２  セル
３３  ハニカム構造体
３４  屈曲部
３５  凸部
５０  接着部分
６１Ａ、６１Ｂ  押え部材
６２Ａ、６２Ｂ  固定部材
【図１】
2009068267.tif 000003
【図２】
2009068267.tif 000004
【図３】
2009068267.tif 000005
【図４】
2009068267.tif 000006
【図５】
2009068267.tif 000007
【図６】
2009068267.tif 000008
【図７】
2009068267.tif 000009
【図８】
2009068267.tif 000010
【図９】
2009068267.tif 000011
【図１０】
2009068267.tif 000012
【図１１】
2009068267.tif 000013
【図１２】
2009068267.tif 000014
【図１３】
2009068267.tif 000015
【図１４】
2009068267.tif 000016
【図１５】
2009068267.tif 000017
【図１６】
2009068267.tif 000018
【図１７】
2009068267.tif 000019
【図１８】
2009068267.tif 000020
【図１９】
2009068267.tif 000021
【図２０】
2009068267.tif 000022
【図２１】
2009068267.tif 000023
【図２２】
2009068267.tif 000024
【図２３】
2009068267.tif 000025